(57)【特許請求の範囲】
【請求項１】
外部インターフェイス部からの特定の電力と他の電力とが個別独立して入力され、この複数の電力の電圧をそれぞれ測定する電圧測定部と、前記複数の電力から負荷に給電可能な電力を択一的に選択して負荷へ供給する電力選択部と、前記特定の電力に所定の負荷を予め印加して生じる電圧降下から前記特定の電力の負荷供給能力を判断する負荷変化手段と、前記電力選択部を制御するための電源選択情報を保持する電源選択情報保持手段とを有し、前記電力選択部により前記特定の電力から給電するにあたっては、電源が切られ且つ前記電源選択情報保持手段に電力が供給されない状態で給電する場合はこの供給されない状態を基に前記外部インターフェイス部からの給電で自動的に電源が入り、前記電源選択情報保持手段に電力が供給されており前記他の電力が有効でない状態で前記負荷変化手段により負荷供給能力があると判断された場合には前記電力選択部が前記特定の電力を選択することにより給電することを特徴とする電力供給装置。
【発明の詳細な説明】
【０００１】
【発明の属する技術分野】
本発明は、光ディスク装置、テープレコーダ、スピーカー等の負荷へ動作電源を供給する電力供給装置に関し、特に複数の電源から入力される電力を切り換えて負荷側へ供給し、且つ負荷が動作電源を必要としない場合に電力の出力を遮断する電力供給装置に関するものである。
【０００２】
特に、この電力供給装置は、携帯型のパーソナルコンピュータ（以下パソコンと略称する）に接続される周辺機器としての携帯型光ディスク装置等への適用に有益である。
【０００３】
【従来の技術】
このような従来の電力供給装置として、パソコンに接続して使用するポータブルタイプの光ディスク装置に利用されるものがある。この従来の電力供給装置は、光ディスク装置に内蔵され、ＡＣアダプタで変換される商用電力と、電池またはバッテリの電力とが入力される電力入力部を有し、この電力入力部から入力される複数の電力の中から一方の電力を動作電源として負荷側へ出力する構成がとられていた。
【０００４】
【発明が解決しようとする課題】
以上のように構成された従来の電力供給装置は、電力入力部に入力される電力入手先の数が少なく、光ディスク装置等に適用した場合には、光ディスク装置等のほとんどが電池またはバッテリを収納した状態で使用され、重い重量の電池やバッテリのために光ディスク装置等の重量が重くなり、取扱いの容易さや携帯性を損ねるという課題を有していた。
【０００５】
また、動作電源を電池またはバッテリから商用電源へ切り換えると、その切り換えの際に一時的な電力遮断が生じ、電力の安定供給が行いにくいと言う課題を有していた。さらにまた、光ディスク装置等が使用されない状態でも待機電力が供給されている状態となり、不要な電力消費が生じるという課題も有していた。
【０００６】
本発明は、上記課題を解決するためになされたもので、光ディスク装置等に収納される電池またはバッテリ以外から動作電源を確保し易くして、光ディスク装置等に使用される専用の電池またはバッテリの必要性を少なくし、併せて光ディスク装置等の軽量化を行い、また、電力遮断を起こさずに使用途中の電力切り換えを行うことにより電力の安定供給を行うと共に、パソコンのインターフェイス部から電力を受けようとする場合はそのインターフェイス部が電力供給能力があるかどうかチェックしてから受電し、さらに、待機電力による不要な電力消費を少なくして経済性の良い電力供給装置を提供することを目的とする。
【０００７】
【課題を解決するための手段】
本発明は、外部インターフェイス部からの特定の電力と他の電力とが個別独立して入力され、この複数の電力の電圧をそれぞれ測定する電圧測定部と、複数の電力から負荷に給電可能な電力を択一的に選択して負荷へ供給する電力選択部と、特定の電力に所定の負荷を予め印加して生じる電圧降下から特定の電力の負荷供給能力を判断する負荷変化手段と、電力選択部を制御するための電源選択情報を保持する電源選択情報保持手段とを有し、電力選択部により特定の電力から給電するにあたっては、電源が切られ且つ電源選択情報保持手段に電力が供給されない状態で給電する場合はこの供給されない状態を基に外部インターフェイス部からの給電で自動的に電源が入り、電源選択情報保持手段に電力が供給されており他の電力が有効でない状態で負荷変化手段により負荷供給能力があると判断された場合には電力選択部が特定の電力を選択することにより給電することを特徴とする。
【０００８】
十分な負荷供給能力が用意されていないパソコンのインターフェイス部から電力を取り出そうとすることを未然に防止することができ、安全に且つ安定して電力の供給を受けることができるという効果が得られる。
【０００９】
【発明の実施の形態】
本発明の請求項１に記載の発明は、外部インターフェイス部からの特定の電力と他の電力とが個別独立して入力され、この複数の電力の電圧をそれぞれ測定する電圧測定部と、複数の電力から負荷に給電可能な電力を択一的に選択して負荷へ供給する電力選択部と、特定の電力に所定の負荷を予め印加して生じる電圧降下から特定の電力の負荷供給能力を判断する負荷変化手段と、電力選択部を制御するための電源選択情報を保持する電源選択情報保持手段とを有し、電力選択部により特定の電力から給電するにあたっては、電源が切られ且つ電源選択情報保持手段に電力が供給されない状態で給電する場合はこの供給されない状態を基に外部インターフェイス部からの給電で自動的に電源が入り、電源選択情報保持手段に電力が供給されており他の電力が有効でない状態で負荷変化手段により負荷供給能力があると判断された場合には電力選択部が特定の電力を選択することにより給電することを特徴とした電力供給装置であり、十分な負荷供給能力が用意されていないパソコンのインターフェイス部から電力を取り出そうとすることを未然に防止することができると言う作用を有するものである。
【００１０】
以下、本発明の実施の形態について、図に基づいて説明する。
（実施の形態１）
図１は本発明の実施の形態における光ディスク装置１の構成図であり、図２は図１の電源切り換え手段５のブロック図であり、図３は図２の電源選択手段１２のブロック図である。図１において、光ディスク装置１には本体電源投入の為のスイッチ３１と、ＡＣアダプター２からの電源入力経路２０１（電源入力部Ａ）と、バッテリ３からの電源入力経路２０２（電源入力部Ｂ）と、インターフェイス４からの電源入力経路２０３（電源入力部Ｐ）で構成され、光ディスク装置本体１の中に電源切り換え手段５が含まれる。
【００１１】
図２において、電源切換え手段５は以下の構成要素からなる。即ち、前述のスイッチ３１と、電源入力部Ａ，Ｂ，Ｐとそれぞれの電源入力経路２０１，２０２，２０３と、これらの電源入力経路に接続される電圧検出手段１１と、同様にこれらの電源入力経路２０１，２０２，２０３とスイッチ３１とに接続される電源選択手段１２と、電源選択手段１２の出力経路２０８の電圧を変換する電圧変換手段１３と、ＣＰＵ１４と、電源選択の選択信号を一時記憶する電源選択情報保持手段４０と、電源選択情報保持手段４０に記憶用電源を供給する情報保持部電源供給手段と、電源選択手段１２の選択した電源に負荷をかける制御をする負荷変化手段５０とで構成される。ＣＰＵ１４は各種のプログラムによって動作し、それぞれは、電源切り換え制御のプログラム１０１と、スイッチ判定制御のプログラム１０２と、電源能力判定制御のプログラム１０３とによって動作する。
【００１２】
以下、説明を簡略化するために電源入力経路２０１の電圧状態をＡ、同様に電源入力経路２０２の電圧状態をＢ、電源入力経路２０３の電圧状態をＰと略称する。また、それぞれの電圧状態はＡ＞Ｂ＞Ｐの関係であるものとし、有効電圧が生じている状態を１、有効電圧が生じていない状態を０と表記するものとする。例えば、Ａ＝１は電源入力経路２０１に有効電圧が生じていることを表すものとして以下の説明を行う。
【００１３】
電圧検出手段１１は、ＣＰＵ１４の制御信号２１５により、入力されている電源入力経路２０１（Ａ）、２０２（Ｂ）、２０３（Ｐ）のいずれか一つを選択し、経路２１６に出力する。ＣＰＵ１４は経路２１６の電圧をＣＰＵ１４に内蔵されたＡ／Ｄ変換手段で測定する。こうして、ＣＰＵ１４は、スイッチ３１の状態とＡ，Ｂ，Ｐの電圧測定とに基づいて、Ａ＞Ｂ＞Ｐの優先順位に従って電源選択の為の選択信号を信号経路２１１、２１９、２２２に出力する。
【００１４】
電源選択情報保持手段４０の出力である経路２１３は経路２１９の有効信号時に有効状態にセットされ、経路２２２の有効信号時に無効状態にリセットされる。情報保持部電源供給手段４１は電源入力経路２０３（Ｐ）と電圧変換手段１３の出力２１７から電源を供給され経路２２１を通じて電源選択情報保持手段４０に電源を供給する。電源選択情報保持手段４０は電源を供給されない時は出力２１３を無効とする。電源選択手段１２の選択した電源は経路２０８を介して電圧変換手段１３に供給し、電圧変換手段１３が本装置で使用する電圧に変換して経路２１７に出力する。経路２１７には負荷変化手段５０が接続されており、ＣＰＵ１４が制御プログラム１０３の制御に基づいて出力する経路２２３により制御され、電源選択手段１２により選択された電源の電圧を電源検出手段１１を用いて電圧測定する。
【００１５】
図３において、点線で囲まれた部分は図２における電圧選択手段１２に相当する。図に示すように、電源入力経路２０１（Ａ）と電源入力経路２０２（Ｂ）は第一の電源選択手段１５に接続される。本実施の形態では第一の電源選択手段１５はダイオード２５とダイオード２６で構成され、経路２０１はダイオード２５に、経路２０２はダイオード２６を経由して経路２０４に接続される。ダイオード２５、２６の働きにより、いずれか電圧の高い方が経路２０４に電力を供給する働きをする。ダイオードはその特性上、順方向電圧降下を生ずるために、経路２０４の電圧は電力入力経路の電圧よりもダイオードの順方向電圧に相当する電圧降下を発生する。その結果、電力損失が生じるが、この電圧降下と電力損失が問題にならない程度に小さければ安価な電源選択手段となる。以下、経路２０４の電圧状態を前述のＡ，Ｂ，Ｐと同様にＣと表記する。
【００１６】
経路２０４は開閉手段２１の端子１に接続される。開閉手段２１は駆動手段２７の出力２１０によって開閉駆動され、駆動手段２７は制御手段２９の制御出力２１９によって駆動制御される。そして、制御手段２９はＣＰＵ１４の電源選択信号２１１とスイッチ３１のスイッチ信号２１８と基づいて駆動制御をする。こうして、ＣＰＵ１４の電源選択信号２１１の状態が有効（同様に、以下ＣＳ１＝１と表記）の時、又はスイッチ３１が有効（同様に、以下ＳＷ＝１と表記）の時に開閉手段２１の端子１と端子３が接続するように動作し経路２０４と経路２０９が接続される。
【００１７】
他方、電源入力経路２０３は開閉手段２２の端子２に接続される。開閉手段２２は駆動手段２８の出力２１２によって開閉駆動され、駆動手段２８は制御手段３０の制御出力２２０によって駆動制御される。そして、制御手段３０はＣＰＵ１４の電源選択信号２１３とスイッチ３１のスイッチ信号２１８と基づいて駆動制御をする。こうして、ＳＷ＝０で、かつ電源選択情報保持手段４０の電源選択信号２１３の状態が有効（以下ＣＳ２＝１と表記）の時に端子１と端子３が接続するように動作し経路２０７と経路２０８とが接続される。ダイオード２４は開閉手段２２の端子１と端子３を接続するように配置される。
【００１８】
経路２０９に接続される電圧変換手段２３は、前述の電源入力経路２０３に供給される電源Ｐの電圧にダイオード２４の順方向降下電圧値を加えた電圧値よりも低い電圧を発生し、その出力は経路２０７に接続されている。以下、経路２０７の電圧状態を前述のＡ，Ｂ，Ｐ、Ｃと同様にＤと表記する。経路２０８は電圧変換手段１３に入力される。
【００１９】
図４は、本発明の実施の形態における電源切り換え制御を表すフローチャートである。図４に基づいて、ＣＰＵ１４の制御信号２１１、２１９、２２２による電源切り換え手順を説明する。この図４は図１におけるプログラム１０１に収納された電源切り換えシーケンスを具現化したものである。なお、冒頭に説明したように、電圧状態はＡ＞Ｂ＞Ｐの関係であるものとする。
【００２０】
まず、電源Ａ，Ｂの有効／無効を判定し（Ｓ１１）、電源Ａ，Ｂが有効であれば（ＹＥＳ）、ＣＰＵ１４は経路２１１に有効信号を出力する（Ｓ１２）。このように制御することで、図３において、初めに開閉手段２１の端子１と端子３が導通し、電圧変換手段２３によりダイオード２４のアノード側に電圧Ｄが出力される。この時点でダイオード２４のカソード側には経路２０３からの電圧Ｐが開閉手段２２を通って現れているが前述のように、電圧変換手段２３の電圧はダイオード２４の順方向降下電圧により経路２０３側の電圧Ｐより高くなることはないので、経路２０８から経路２０３へ電流が逆流することはない。
【００２１】
次に経路２２２に無効信号を経路２１９に有効信号をそれぞれ出力し電源選択情報保持手段４０の出力２１３を有効にする（Ｓ１３）。開閉手段２２の端子１と端子３が導通し、併せて経路２０３と経路２０８が開路する。こうして、ダイオード２４の順方向降下電圧による電力損失を発生させない働きをする。
【００２２】
続いて、後述する電源供給能力判定プログラム１０３の中の電源判定済みフラグ情報（以下ＰＪと記す）をＰＪ＝０にセットする（Ｓ１４）。ただしＰＪ＝１の時が判定済み、ＰＪ＝０の時が未判定であることを意味する。
【００２３】
最初のステップ１１の判定がＮＯの時、後述する電源供給能力判定プログラム１０３を起動し、電源Ｐの有効／無効の結果を得る（Ｓ１５）。ステップ１５の結果に基づいて、電源Ｐの有効／無効を判断する（Ｓ１６）。電源Ｐが有効（ＹＥＳ）の時は、経路２２２に有効信号を経路２１９に無効信号を出力し電源選択情報保持手段４０の出力２１３を無効にする（Ｓ１７）。従って、開閉手段２２は経路２０３と経路２０８を導通させる。次に、経路２１１に無効信号を出力し（Ｓ１８）、開閉手段２１は経路２０４と経路２０９を開路する。こうして、電源入力経路２０３（Ｐ）から電源の供給を受ける。
【００２４】
また、ステップ１６の判定がＮＯの時は、経路２１１無効にし（Ｓ１９）、開閉手段２１の端子１と端子３が開路し、経路２１３を有効にする（Ｓ２０）ことで開閉手段２２の端子１と端子３が開路し、電源の経路を開路する。こうして、外部インターフェイス接続部の電源の有効性に応じて本装置の電源の制御を行うことができる。
【００２５】
図５はスイッチによる電源制御を表すフローチャートである。図５に基づいて、スイッチ３１による電源切り換え手順を説明する。この図５は図１におけるプログラム１０２に収納された電源制御シーケンスを具現化したものである。
【００２６】
まず、スイッチ３１が有効になるまで待機し（Ｓ２１）、スイッチ３１が有効（ＳＷ＝１）になると次のステップに移行する。このスイッチ３１が有効な間（ＳＷ＝１）は制御手段２９の出力２１９が有効になり、開閉手段２１の端子１と端子３が導通し、同時に制御手段３０の出力２２０が無効になり、開閉手段２２の端子２と端子３が導通することで、電源Ａ，Ｂ，Ｐのいずれかが有効であれば経路２０８に有効な電圧を生じることになる。経路２０８の電力は電圧変換手段１３により経路２１７に電圧を変換して出力され、本装置の電源が入る。
【００２７】
次に、ＣＰＵ１４が経路２１１を有効、経路２１３を無効にすると（Ｓ２２）、ＳＷ＝０になっても制御手段２９の出力２１９と制御手段３０の出力２２０の状態は維持される。
【００２８】
次に、スイッチ３１がオフになるまで待機し（Ｓ２３）、スイッチ３１が無効（ＳＷ＝０）になると、次のステップに移行し、前述の電源切り換え制御プログラム１０１を起動する処理を行う（Ｓ２４）。こうして、電源切り換え制御プログラム１０１を有効にすることで、既に説明した電源の選択手段がその機能を発揮し始める。以上に説明したステップ２１からステップ２４までの処理はスイッチ３１による本装置の電源を入れる手順を示している。
【００２９】
次に、スイッチ３１がオンになるまで待機し（Ｓ２５）、スイッチ３１が有効（ＳＷ＝１）になると、次のステップに移行し、前述の電源切り換え制御プログラム１０１を停止する処理を行う（Ｓ２６）。こうして、Ｓ２６で前述の電源切り換え制御プログラム１０１を無効にすることで、電源の選択手段がその機能を停止する。
【００３０】
次に、スイッチ３１がオフになるまで待機し（Ｓ２７）、スイッチ３１が無効（ＳＷ＝０）になると、次のステップに移行し、ＣＰＵ１４が経路２１１を無効、経路２１３を有効にする（Ｓ２８）ことで、制御手段２９の出力２１９が無効になり、開閉手段２１の端子１と端子３が開路し、同時に制御手段３０の出力２２０が有効になり、開閉手段２２の端子２と端子３が開路することで、前記電源Ａ，Ｂ，Ｐのいずれかが有効であっても経路２０８に有効な電圧を生じることがない。以上説明したように、ステップ２５からステップ２８までの処理はスイッチ３１による本装置の電源を切る手順を説明している。
【００３１】
図６は電源投入直後の処理を表すフローチャートである。図６に基づいて、電圧変換手段１３の出力２１７をＣＰＵ１４の駆動電源に使用する場合を含めて本装置の電源投入時の動作を説明する。
【００３２】
今、電源Ｐが無効で、かつ本装置の電源を切っている状態（開閉手段２１の端子１と端子３間が開路状態）であるものとする。情報保持部電源供給手段４１には電源が供給されないので電源選択情報保持手段４０の出力２１３は無効となり、開閉手段２２の端子２と端子３が導通し、電源入力経路２０３（Ｐ）と電圧変換手段１３の入力経路２０８が接続されている。この状態で、電源入力経路２０３（外部インターフェイス接続部からの電源、Ｐ）が有効になると、電圧変換手段１３に電源が供給され経路２１７に出力され、本装置の電源が自動で入る機能を構成する。
【００３３】
この時、電源Ｐにより本装置の電源が供給されているので、情報保持部電源供給手段４１には経路２１７により電源が供給されており、ＣＰＵ１４の出力２１９を有効にすると、電源選択情報保持手段４０の出力２１３は有効となり、開閉手段２２の端子２と端子３が開路し、電源入力経路２０３と電圧変換手段１３間が非接続になり、本装置の電源が切れる機能を構成する。
【００３４】
図７は電源能力判定制御の処理を表すフローチャートである。図７において、図４のステップ１５で説明した電源供給能力判定プログラムによる電源Ｐの有効／無効の判定内容の詳細を説明する。まず、前述したように、電源判定済みフラグ情報ＰＪを判定する（Ｓ４１）。ＰＪ＝１（判定済み）であれば、プログラムを終了する。ＰＪ＝０（未判定）ならば電圧判定１で電圧Ｐの測定電圧１が少なくとも（設定電圧１＜測定電圧１）なる電圧判定１を行う（Ｓ４２）。電圧判定１＝１（設定電圧１＜測定電圧１の時、ＹＥＳ）ならば負荷変化手段５０の負荷を負荷１に設定する（Ｓ４３）。他方、電圧判定１＝０（ＮＯ）ならば電源Ｐの無効処理を行う（Ｓ５２）。
【００３５】
次に、電源Ｐの電圧を測定（電圧測定２）する（Ｓ４４）。この測定電圧２を用いて、（設定電圧２＜測定電圧２）なる電圧判定２を行う（Ｓ４５）。電圧判定２＝１（設定電圧２＜測定電圧２の時、ＹＥＳ）ならば負荷変化手段５０の負荷を負荷２に設定する（Ｓ４６）。他方、電圧判定２＝０（ＮＯ）ならば電源Ｐの無効処理を行う（Ｓ５２）。
【００３６】
さらに、電源Ｐの電圧を測定（電圧測定３）する（Ｓ４７）。この測定電圧３を用いて、（設定電圧３＜測定電圧３）なる電圧判定３を行う（Ｓ４８）。電圧判定３＝１（設定電圧３＜測定電圧３の時、ＹＥＳ）ならば、測定電圧２より測定電圧３を減じて負荷１から負荷２に変化（増加）させたことによる電圧降下値１を計算する（Ｓ４９）。他方、電圧判定３＝０（ＮＯ）ならば電源Ｐの無効処理を行う（Ｓ５２）。
【００３７】
次に、ステップ４９で求めた電圧降下値１の結果を判定する（Ｓ５０）。電圧降下値１が（設定電圧降下値１＞電圧降下値１）なる場合（ＹＥＳ）は電源Ｐを有効とする状態を示すフラグをＰＡ＝１に設定しＳ５３に移行する。他方、電圧降下値１の判定結果（Ｓ５０）がＮＯの場合、及び、前述のステップ４２、ステップ４５、並びにステップ４８のいずれかの判定がＮＯの場合は、電源Ｐを無効とする状態を示すフラグをＰＡ＝０に設定し（Ｓ５２）、次のステップ５３に移行する。そして、判定済みフラグをＰＪ＝１に設定して（Ｓ５３）、処理を終了する。なお、前述したように、ＰＪ＝１（判定済み）であれば、ＰＪ＝１を維持した状態でプログラムを終了する。
【００３８】
一般に、パソコンのインターフェイス部の電源端子は十分な負荷供給能力が用意されているものとは限らない場合が有り、そのようなパソコンのインターフェイス部から電力を取り出そうとすると外部機器（本発明の場合には光ディスク装置）だけでなく、本体のパソコンまでをも動作に障害を生ずることがある。以上に詳細に説明したように、本発明の電源能力判定制御プログラム１０３を実行することによりこのような障害を皆無にすることができ、安全に且つ安定して電力の供給を受けることができる。
【００３９】
【発明の効果】
以上詳細に説明したように、本発明の電力供給装置によると、複数の電源入力部を持つ装置の電源の入り切りを１つのスイッチで制御できると共に、複数の電源から同時に２つ以上の電源が有効な時は電圧の高い方の電源を選択し、電源を切りかえる時に、電源の電圧差による切換え時の逆電圧印加が防止できることで、単純な制御手順で電源を切りかえることが可能である。
【００４０】
さらに、最も電圧の低い電源に対しては電源経路に電圧降下を生じせしめる素子（ダイオード等）を配置する必要がないので、不必要な電力損失を生じない。また、電源選択情報を保持することで、制御ＣＰＵの電力供給を停止させた状態で電源選択状態を維持可能となり、更に外部インターフェイス接続部の電源が有効になると自動で本装置の電源が入り、かつスイッチによって本装置の電源を入り切り可能となる。
【００４１】
そして、パーソナルコンピュータと接続するインターフェース部からの電源（以下ＰＣ電源と表記する）を本装置の駆動電源として動作させる場合には、最も電力損失の少ない電源経路を構成すると共に、ＰＣ電源で駆動中にＡＣ又はバッテリが接続されれば、自動で電源を切換えてＰＣ電源経路をオープンにすることで、パーソナルコンピュータのバッテリの消費を軽減する。さらに、パーソナルコンピュータの電源を入れることで、本装置の電源も自動で入り、かつ最適な電源を選択して起動される。ＡＣもバッテリも接続されていない状態では、パーソナルコンピュータの電源の入り切りにより、本装置の電源も入り切りされる。さらに、本装置側の電源スイッチはＡＣ、バッテリ、ＰＣ電源のいずれの有効な組み合わせにおいても本装置の駆動電源を入り切りすることが可能である。
【００４２】
ＰＣ電源選択過程において、電源の供給能力をチェックすることで、不要な負荷をパーソナルコンピュータにかけることなく動作できる。
【図面の簡単な説明】
【図１】本発明の実施の形態における光ディスク装置の構成図
【図２】図１の電源切り換え手段のブロック図
【図３】図２の電源選択手段のブロック図
【図４】本発明の実施の形態における電源切り換え制御を表すフローチャート
【図５】スイッチによる電源制御を表すフローチャート
【図６】電源投入直後の処理を表すフローチャート
【図７】電源能力判定制御の処理を表すフローチャート
【符号の説明】
１  光ディスク装置
２  ＡＣアダプタ
３  バッテリ
４  インターフェイス
５  電源切り換え手段
１１  電圧検出手段
１２  電源選択手段
１３、２３  電圧変換手段
１４  ＣＰＵ
１５  第一の電源選択手段
２１、２２  開閉手段
２４、２５、２６  ダイオード
２７、２８  駆動手段
２９、３０  制御手段
３１  スイッチ
４０  電源選択情報保持手段
４１  情報保持部電源供給手段
５０  負荷変化手段
１０１、１０２、１０３  プログラムＲＯＭ
【図１】
0004168467.tif 000002
【図２】
0004168467.tif 000003
【図３】
0004168467.tif 000004
【図４】
0004168467.tif 000005
【図５】
0004168467.tif 000006
【図６】
0004168467.tif 000007
【図７】
0004168467.tif 000008